(57)【特許請求の範囲】
【請求項１】
光ディスクに記録され、少なくとも１つのＶＯＢＵより構成されるブロックデータを順方向に再生するディスク再生装置において、
前記ブロックデータ内の先頭のＶＯＢＵに含まれる映像、音声等の再生用データを読み出して再生する再生手段と、
前記ブロックデータ内に、複数のＶＯＢＵが存在することを検出する検出手段と、
この検出手段により、前記ブロックデータ内に複数のＶＯＢＵが存在することが検出された場合、当該ブロックデータ内の末尾のＶＯＢＵを、前記再生手段により次回再生されるＶＯＢＵに変更する変更手段と、
を備え、
前記再生手段は、当該変更手段により変更された末尾のＶＯＢＵまでＶＯＢＵを読み飛ばし、末尾のＶＯＢＵに含まれる再生用データを読み出して再生することを特徴とするディスク再生装置。
【請求項２】
光ディスクに記録され、少なくとも１つのＶＯＢＵより構成されるブロックデータを逆方向に再生するディスク再生装置において、
前記ブロックデータ内の末尾のＶＯＢＵに含まれる映像、音声等の再生用データを読み出して再生する再生手段と、
前記ブロックデータ内に、複数のＶＯＢＵが存在することを検出する検出手段と、
この検出手段により、前記ブロックデータ内に複数のＶＯＢＵが存在することが検出された場合、当該ブロックデータ内の先頭のＶＯＢＵを、前記再生手段により次回再生されるＶＯＢＵに変更する変更手段と、
を備え、
前記再生手段は、当該変更手段により変更された先頭のＶＯＢＵまでＶＯＢＵを読み飛ばし、先頭のＶＯＢＵに含まれる再生用データを読み出して再生することを特徴とするディスク再生装置。
【請求項３】
前記再生手段により読み飛ばされるＶＯＢＵは、１６未満のセクタから構成されることを特徴とする請求項１または２記載のディスク再生装置。
【請求項４】
光ディスクに記録され、少なくとも１つのＶＯＢＵより構成されるブロックデータを順方向に再生するディスク再生方法において、
前記ブロックデータ内の先頭のＶＯＢＵに含まれる映像、音声等の再生用データを読み出して再生する再生工程と、
前記ブロックデータ内に、複数のＶＯＢＵが存在することを検出する検出工程と、
この検出工程にて、前記ブロックデータ内に複数のＶＯＢＵが存在することが検出された場合、当該ブロックデータ内の末尾のＶＯＢＵを、前記再生工程にて次回再生されるＶＯＢＵに変更する変更工程と、
を含み、
前記再生工程は、当該変更工程にて変更された末尾のＶＯＢＵまでＶＯＢＵを読み飛ばし、末尾のＶＯＢＵに含まれる再生用データを読み出して再生することを特徴とするディスク再生方法。
【発明の詳細な説明】
【０００１】
【発明の属する技術分野】
本発明は、光ディスクに記録され、少なくとも１つのＶＯＢＵより構成されるブロックデータを再生するディスク再生装置、及びディスク再生方法に関する。
【０００２】
【従来の技術】
従来、データ圧縮技術の進歩に伴い、大容量のデータを記録可能な高密度記録タイプの光学式記録媒体としてＤＶＤ（Digital Versatile Disc）ビデオが開発されている。ＤＶＤビデオは、圧縮符号化された映像信号と音声信号を、多重化した状態で物理的状態の変化（ピット）として記録し、専用のディスク再生装置で各信号の同期をとって再生される。
【０００３】
この様なディスク再生装置は、ＣＤ（Compact Disc）に代表される光学式の記録媒体（以下、「光ディスク」と記す。）からデータを再生するディスク再生装置と同様に、光ディスクとデータを再生する手段とが非接触であることから、シーケンシャルアクセスは基よりランダムアクセスも可能である。
【０００４】
以下、ＤＶＤビデオの一般的なデータ構成について説明する。ＤＶＤビデオは、最大の記録単位としてＶＴＳ（Video Title Set）を有し、ＶＴＳは、例えば、映画１作品分のデータ群を１単位とするＶＯＢＳ（Video OBject Set）から構成されている。ＶＯＢＳは、複数のシ−ンを組み合わせたデータ群を１単位とするＶＯＢ（Video OBject）を複数有し、ＶＯＢは、数分〜十数分の１シ−ンや数カット分のデータを格納するセル（Ｃｅｌｌ）の集合である。
【０００５】
更に、セルは、０．８秒〜１．２秒の動画像データを１単位とするＶＯＢＵ（Video OBject Unit）を複数有して構成される。ＶＯＢＵは、ＭＰＥＧ（Moving Picture Experts Group）２方式によって圧縮符号化された映像データ、音声データ、及びこれら再生用データの再生順序等を管理する管理データ（ナビゲーションデータ）を有する。
【０００６】
管理データは、再生用データの属性と再生に必要な制御情報を有し、ＰＣＩ（Presentation Control Information）データ、ＤＳＩ（Data Search Information）データ、ＶＭＧＩデータ等から構成される。ＰＣＩデータは、再生用データの状態に従って再生情報を決定するための再生制御情報であり、ＤＳＩデータは、フォワード（順方向早送り）再生、リバース（逆方向早戻し）再生、及び連続再生に関するデータサーチ情報である。
【０００７】
【発明が解決しようとする課題】
しかしながら、従来のディスク再生装置では、上記構成を有するＤＶＤビデオにマニュアルサーチを実行すると、制御部は、ＶＯＢＵのセクタ数（データ長）とは無関係に、ＶＯＢＵ内のＤＳＩデータで示されたサーチ先アドレスをサーチする。すなわち、図３に示す様な、時間調整用の映像が記録されている１６セクタ未満のＶＯＢＵが１ＥＣＣ（Error Correction Coding）ブロックデータ内に複数存在する構成のコンテンツデータを再生する場合にマニュアルサーチを実行すると、制御部は、ＶＯＢＵ間の時間間隔等の検索情報としてＤＳＩデータに含まれるＶＯＢＵ＿ＳＲＩ（VOBU SeaRch Information）に従って、ＶＯＢＵの格納順に再生を行っていた。
【０００８】
従って、映画等のＤＶＤビデオを再生した場合、その映画に時間調整用の黒い無音映像が続いている部分が有ると、マニュアルサーチを行った際にあまり意味の無い映像が長時間続いて再生される。このため、ユーザが本来視聴したい映像が再生されるまでに時間が掛かり非効率的であった。
【０００９】
本発明の課題は、光ディスク上の無駄なデータ部分を読み飛ばし、効率的な映像再生が可能なディスク再生装置、及びディスク再生方法を提供することである。
【００１０】
【課題を解決するための手段】
本発明は、上記課題を解決するため、以下の様な特徴を備えている。なお、以下に示す手段の説明中、括弧内に実施の形態に対応する構成要素の名称と図面参照符号を例示する。
【００１１】
請求項１記載の発明は、
光ディスク（例えば、図１のＤＶＤ２０）に記録され、少なくとも１つのＶＯＢＵより構成されるブロックデータ（例えば、図３の１ＥＣＣブロックデータＣ）を順方向に再生するディスク再生装置（例えば、図１のディスク再生装置１）において、
前記ブロックデータ内の先頭のＶＯＢＵに含まれる映像、音声等の再生用データを読み出して再生する再生手段（例えば、図１の制御部２）と、
前記ブロックデータ内に、複数のＶＯＢＵが存在することを検出する検出手段（例えば、図１の制御部２）と、
この検出手段により、前記ブロックデータ内に複数のＶＯＢＵが存在することが検出された場合、当該ブロックデータ内の末尾のＶＯＢＵを、前記再生手段により次回再生されるＶＯＢＵに変更する変更手段（例えば、図１の制御部２）と、
を備え、
前記再生手段は、この変更手段により変更された末尾のＶＯＢＵまでＶＯＢＵを読み飛ばし、末尾のＶＯＢＵに含まれる再生用データを読み出して再生することを特徴としている。
【００１２】
請求項２記載の発明は、
光ディスクに記録され、少なくとも１つのＶＯＢＵより構成されるブロックデータを逆方向に再生するディスク再生装置において、
前記ブロックデータ内の末尾のＶＯＢＵに含まれる映像、音声等の再生用データを読み出して再生する再生手段と、
前記ブロックデータ内に、複数のＶＯＢＵが存在することを検出する検出手段と、
この検出手段により、前記ブロックデータ内に複数のＶＯＢＵが存在することが検出された場合、当該ブロックデータ内の先頭のＶＯＢＵを、前記再生手段により次回再生されるＶＯＢＵに変更する変更手段と、
を備え、
前記再生手段は、この変更手段により変更された先頭のＶＯＢＵまでＶＯＢＵを読み飛ばし、先頭のＶＯＢＵに含まれる再生用データを読み出して再生することを特徴としている。
【００１３】
請求項３記載の発明は、請求項１または２記載の発明において、
例えば、  前記再生手段により読み飛ばされるＶＯＢＵは、１６未満のセクタから構成されることを特徴としている。
【００１４】
また、請求項４記載の発明は、
光ディスクに記録され、少なくとも１つのＶＯＢＵより構成されるブロックデータを順方向に再生するディスク再生方法において、
前記ブロックデータ内の先頭のＶＯＢＵに含まれる映像、音声等の再生用データを読み出して再生する再生工程と、
前記ブロックデータ内に、複数のＶＯＢＵが存在することを検出する検出工程と、
この検出工程にて、前記ブロックデータ内に複数のＶＯＢＵが存在することが検出された場合、当該ブロックデータ内の末尾のＶＯＢＵを、前記再生工程にて次回再生されるＶＯＢＵに変更する変更工程と、
を含み、
前記再生工程は、この変更工程にて変更された末尾のＶＯＢＵまでＶＯＢＵを読み飛ばし、末尾のＶＯＢＵに含まれる再生用データを読み出して再生することを特徴としている。
【００１５】
本発明によれば、時間調整用の黒い無音映像部分を含む映画等のＤＶＤビデオを再生する際に、マニュアルサーチを行った場合であっても、意味の無い映像が長時間再生されることが無い。このため、ユーザが本来視聴したい映像が再生されるまでの待ち時間を短縮できる。
【００１６】
【発明の実施の形態】
以下、図１〜図３を参照して本発明の実施の形態におけるディスク再生装置１の構成、及び動作について説明する。
【００１７】
まず構成を説明する。
図１を参照してディスク再生装置１の内部構成を説明する。図１は、ディスク再生装置１の機能的構成を示すブロック図である。図１に示す様に、ディスク再生装置１は、制御部２、ＲＯＭ３、入力部４、表示部５、ピックアップ６ａを有するＲＦ回路６、ＲＡＭ７、映像デコーダ部８、モニタＭに接続されたＮＴＳＣ変換部９、音声デコーダ部１０、スピーカＳに接続されたＤ／Ａ変換部１１より構成され、各部はバスを介して相互に各種信号の送受信が可能な様に接続されている。
【００１８】
制御部２は、ＲＯＭ３に記憶されている各種制御プログラムを読み出し、該制御プログラムに従って、各ブロックの動作を集中制御するシステムコントローラと、データを分割出力するデマルチプレクサと、の機能を併有する。すなわち、制御部２は、ＲＦ回路６で符号化された再生用データにエラー訂正等のデコード処理を行い、ＡＣ−３規格に準拠した圧縮映像データとＭＰＥＧオーディオ規格に準拠した圧縮音声データとに分割し、上記同期信号に基づき各データの同期をとって、圧縮映像データを映像デコーダ部８に出力し、圧縮音声データを音声デコーダ部１０に出力する。
【００１９】
ＲＯＭ（Read Only Memory）３は、ディスク再生装置１に対応する再生制御処理プログラム等の各種制御プログラムが予め記憶されている。
入力部４は、再生開始、再生停止等の各種指示釦の操作を入力信号として制御部２へ出力することにより、ユーザの操作と制御部２の処理を媒介する。
表示部５は、ＬＣＤ（Liquid Crystal Display）等の液晶表示画面を有し、制御部２から入力される表示信号の指示に従って処理状態や指示内容を画面表示してユーザに通知する。
【００２０】
ＲＦ回路６は、トラックサーボ、フォーカスサーボ等のサーボ処理によりＤＶＤ２０の記録層に形成されたセクタに記録されているデータをＲＦ（Radio Frequency）信号として読み取るピックアップ６ａを備え、当該ＲＦ信号を波形化及び符号化してデジタルデータとその同期信号等を生成する。
【００２１】
ＲＡＭ（Random Access Memory）７は、制御部２により実行制御される各処理において、ＲＯＭ３から読み出された制御プログラム、及びＲＦ回路６で生成されたデジタルデータの一時的な格納領域を形成する。また、ＲＡＭ７には、後述する再生制御処理において、制御部２がサーチ目標として取得したＶＯＢＵのＤＳＩデータが一時的に記憶される。
【００２２】
映像デコーダ部８は、圧縮映像データをリニアＰＣＭの形態の映像データに伸張してＮＴＳＣ変換部９へ出力する。
ＮＴＳＣ変換部９は、映像デコーダ部８から供給される映像データを、モニタＭで再生可能なＮＴＳＣ（National Television System Committee）信号またはＰＡＬ（Phase Alternating Line）信号に変換するＤ／ＮＴＳＣ変換回路である。
【００２３】
音声デコーダ部１０は、圧縮音声データをリニアＰＣＭの形態の音声データに伸張してＤ／Ａ変換部１１へ出力する。
Ｄ／Ａ変換部１１は、音声デコーダ部１０から供給される音声データを、スピーカＳで再生可能なアナログ信号に変換するＤ／Ａ変換回路である。
【００２４】
次に、本実施の形態における動作を説明する。
以下、図２を参照して、再生制御処理について説明する。
ディスク再生装置１に光ディスク２０が装填され、再生釦が押下されると、制御部２は、以下に説明する再生制御処理を実行する動作プログラムをＲＯＭ３から読み出しＲＡＭ７に展開すると共に、図２のフローチャートに従った各種動作を実行する。前提として、以下の動作説明では、ブロックデータを順方向に再生した際に、該ブロックデータ内で最初に再生されるＶＯＢＵを“先頭のＶＯＢＵ”と記し、最後に再生されるＶＯＢＵを“末尾のＶＯＢＵ”と記すものとする。
【００２５】
先ず、ユーザから所望のコンテンツデータのサーチ要求が有ると（ステップＳ１）、制御部２は、ＤＶＤ２０にアクセスして、当該コンテンツデータのサーチを開始する。サーチが終了すると（ステップＳ２；Ｙ）、制御部２は、サーチしたコンテンツデータ内に、複数のＶＯＢＵが存在する１ＥＣＣブロックデータが有るか否かを検出する（ステップＳ３）。なお、ステップＳ２において、サーチが終了していない場合は（ステップＳ２；Ｎ）、終了するまでサーチを継続する。
【００２６】
ステップＳ３において、複数のＶＯＢＵが存在する１ＥＣＣブロックデータが検出された場合（ステップＳ３；Ｙ）、制御部２は、現在実行中の処理がフォワード（順方向）のマニュアルサーチであるか否かを判定する（ステップＳ４）。ここで、制御部２がマニュアルサーチの実行中であると判定した場合（ステップＳ４；Ｙ）、ステップＳ３で存在が検出された１ＥＣＣブロックデータ内において、現在サーチ目標として設定されているセクタより前のセクタを除き、先頭と末尾に位置するＶＯＢＵに含まれるＤＳＩデータを取得する（ステップＳ５）。
【００２７】
例えば、図３に示した１ＥＣＣブロックデータＣを順方向に再生する際に、サーチ目標としてＶＯＢＵ２の４セクタが設定されている場合、制御部２は、ＶＯＢＵ２より前のＶＯＢＵを除いて、先頭と末尾のＶＯＢＵのＤＳＩデータを取得する。すなわち、この場合は、ＶＯＢＵ１を除くデータの中から、ＶＯＢＵ２のＤＳＩデータ２とＶＯＢＵ４のＤＳＩデータ４を取得する。次のステップＳ６では、制御部２は、サーチ目標を末尾のＶＯＢＵに変更する。図３の例では、サーチ目標をＶＯＢＵ２からＶＯＢＵ４に変更する。その結果、ＶＯＢＵ３の再生用データは読み飛ばされて再生されない。
【００２８】
続いて、制御部２は、サーチ目標に変更されたＶＯＢＵのＤＳＩデータに基づいて、当該ＶＯＢＵ内の最終セクタを取得する（ステップＳ７）。そして、当該ＤＳＩデータに含まれるＶＯＢＵ＿ＳＲＩに基づいて、次のサーチ目標となるＶＯＢＵを取得して（ステップＳ８）、そのＶＯＢＵを再生する（ステップＳ９）。
【００２９】
詳細には、制御部２は、ステップＳ８でサーチ目標に設定されたＶＯＢＵから再生用データを取り込み、当該再生用データを、圧縮映像データと圧縮音声データとに分割する。そして、圧縮映像データを、映像デコーダ部８、ＮＴＳＣ変換部９を介してモニタＭに出力させ、圧縮音声データを、音声デコーダ部１０、Ｄ／Ａ変換部１１を介してスピーカＳに出力させる。
【００３０】
次に、制御部２は、ステップＳ１でサーチ要求されたコンテンツデータの再生が終了したか否かを判定し（ステップＳ１０）、再生が終了した場合には本再生制御処理を終了する。一方、再生が終了していない場合には（ステップＳ１０；Ｎ）、次の１ＥＣＣブロックデータを再生するため、ステップＳ１に戻り以降の処理を実行する。ステップＳ１〜Ｓ１０までの一連の処理は、上記コンテンツデータを構成する全ての１ＥＣＣブロックデータの再生が完了するまで繰り返し実行される。
【００３１】
なお、ステップＳ３において、複数のＶＯＢＵが存在する１ＥＣＣブロックデータが検出されなかった場合（ステップＳ３；Ｎ）、制御部２は、当該１ＥＣＣブロックデータ内に存在する１つのＶＯＢＵから、ＤＳＩデータを取得する（ステップＳ１１）。そして、そのＤＳＩデータに基づいて、ＶＯＢＵの最終セクタと次のサーチ目標を取得して（ステップＳ７〜Ｓ８）、ステップＳ９以降の処理に移行する。
【００３２】
次に、ステップＳ４において、実行中のマニュアルサーチがリバース（逆方向）の場合（ステップＳ４；Ｎ）について詳細に説明する。すなわち、ステップＳ１２では、ステップＳ３で存在が検出された１ＥＣＣブロックデータ内において、現在サーチ目標として設定されているセクタより後ろのセクタを除き、先頭と末尾に位置するＶＯＢＵに含まれるＤＳＩデータを取得する。
【００３３】
例えば、図３に示した１ＥＣＣブロックデータＣを逆方向に再生する際に、サーチ目標としてＶＯＢＵ３の５セクタが設定されている場合、制御部２は、ＶＯＢＵ３より後ろのＶＯＢＵを除いて、末尾と先頭のＶＯＢＵのＤＳＩデータを取得する。すなわち、この場合は、ＶＯＢＵ４を除くデータの中から、ＶＯＢＵ３のＤＳＩデータ３とＶＯＢＵ１のＤＳＩデータ１を取得する。次のステップＳ１４では、制御部２は、サーチ目標を先頭のＶＯＢＵに変更する。図３の例では、ＶＯＢＵ２からＶＯＢＵ１に変更する。その結果、ＶＯＢＵ２の再生用データは、読み飛ばされて再生されない。
【００３４】
続いて、制御部２は、サーチ目標に変更されたＶＯＢＵのＤＳＩデータに基づいて、当該ＶＯＢＵ内の最終セクタを取得する（ステップＳ１５）。そして、当該ＤＳＩデータに含まれるＶＯＢＵ＿ＳＲＩに基づいて、次のサーチ目標となるＶＯＢＵを取得して（ステップＳ１６）、そのＶＯＢＵを再生するステップＳ９以降の処理に移行する。
【００３５】
以上説明した様に、本発明に係るディスク再生装置１は、１つのブロックデータ内に１６セクタ未満のＶＯＢＵが複数存在するコンテンツデータのマニュアルサーチを実行している際に、当該ブロックデータ内の先頭と末尾に位置するＶＯＢＵのみ再生し、両端のＶＯＢＵの間に有る他のＶＯＢＵを読み飛ばす（スキップする）。従って、例えば、無音の黒い映像部分を含む映画等のコンテンツを再生する際に、時間調整用の映像を読み飛ばして再生することが可能となり、意味の無い映像が長時間再生されることが無い。その結果、ユーザが本来視聴したい映像が再生されるまでの待ち時間を短縮できる。
【００３６】
なお、本実施の形態における記述内容は、本発明に係るディスク再生装置１の好適な一例であり、これに限定されるものではない。
例えば、本実施の形態では、光ディスクをＤＶＤとして説明したが、これに限らず、ＶＯＢＵを記録単位の１つとして構成されたデジタルデータが記録されている記録媒体であればよい。また、ブロックデータは、例えば、ＶＴＳ、ＶＯＢＳ、セル等の様に、複数のＶＯＢＵから構成されるデータであればよく、そのデータ容量は任意である。
その他、ディスク再生装置１の細部構成、詳細動作に関しても本発明の趣旨を逸脱することのない範囲において、適宜変更可能である。
【００３７】
【発明の効果】
本発明によれば、時間調整用の黒い無音映像部分を含む映画等のＤＶＤビデオを再生する際に、マニュアルサーチを行った場合であっても、意味の無い映像が長時間再生されることが無い。このため、ユーザが本来視聴したい映像が再生されるまでの待ち時間を短縮できる。
【図面の簡単な説明】
【図１】本発明に係るディスク再生装置１の機能的構成を示すブロック図である。
【図２】図１のディスク再生装置１により実行される再生制御処理を示すフローチャートである。
【図３】１ＥＣＣブロックデータＣのデータ構成例を示す図である。
【符号の説明】
１    ディスク再生装置
２    制御部
３    ＲＯＭ
４    入力部
５    表示部
６    ＲＦ回路
６ａ    ピックアップ
７    ＲＡＭ
８    映像デコーダ部
９    ＮＴＳＣ変換部
１０    音声デコーダ部
１１    Ｄ／Ａ変換部
２０    ＤＶＤ
Ｍ    モニタ
Ｓ    スピーカ
【図１】
0003690588.tif 000002
【図２】
0003690588.tif 000003
【図３】
0003690588.tif 000004